(57)【要約】【課題】  出射光を明るくすることを図ることができつつ、スペックルノイズの発生を抑制することができる光源装置及び画像投影装置を提供する。【解決手段】  画像投影装置は、光源装置を少なくとも一つ備え、光源装置から出射される光を投射光として用いる。光源装置は、レーザ光を出射する複数の光源部を備え、複数の光源部は、レーザ光の光軸の導光体の入射面に対する入射角の大きさごとに、複数の光源群に区分され、光源群のレーザ光の入射角が小さいほど、当該光源群を構成する複数の光源部の中心波長のうち、最大の中心波長と最小の中心波長との差が小さい。【選択図】  図５
2016118680.tif 000002
【特許請求の範囲】
【請求項１】
レーザ光を出射する複数の光源部と、
前記複数の光源部から出射されるレーザ光が入射され、当該光を導光体の入射面に向けて出射する光学系と、を備え、
前記複数の光源部は、レーザ光の光軸の前記入射面に対する入射角の大きさごとに複数の光源群に区分され、
前記光源部及び前記光学系は、前記光源群のレーザ光の前記入射角が小さいほど、当該光源群を構成する複数の前記光源部の中心波長のうち、最大の中心波長と最小の中心波長との差が小さくなるように、構成される光源装置。
【請求項２】
レーザ光を出射する複数の光源部と、
前記複数の光源部から出射されるレーザ光が入射される入射面を有する導光体と、を備え、
前記複数の光源部は、レーザ光の光軸の前記入射面に対する入射角の大きさごとに、複数の光源群に区分され、
前記光源群のレーザ光の前記入射角が小さいほど、当該光源群を構成する複数の前記光源部の中心波長のうち、最大の中心波長と最小の中心波長との差が小さい光源装置。
【請求項３】
前記光源群のレーザ光の前記入射角が小さいほど、前記光源群を構成する複数の前記光源部の中心波長の平均値における視感度が大きい請求項１又は２に記載の光源装置。
【請求項４】
請求項１〜３の何れか１項に記載の光源装置を少なくとも一つ備え、前記光源装置から出射される光を投射光として用いる画像投影装置。
【発明の詳細な説明】
【技術分野】
【０００１】
本発明は、レーザ光を出射する光源を複数備える光源装置に関し、また、光源装置を備える画像投影装置に関する。
【背景技術】
【０００２】
従来、光源装置として、複数の光源部から出射したレーザ光を光ファイバ等に入射する光源装置が、知られている（例えば、特許文献１）。そして、斯かる光源装置から出射した光を、プロジェクタ等の光源として用いる技術が知られている。斯かる技術において、レーザ光の照射面や観測者の網膜上に、スペックルノイズと呼ばれる光の強弱のあるノイズが発生する。
【０００３】
そこで、特許文献１においては、スペックルノイズを低減すべく、光源部が出射するレーザ光の波長を広い範囲にする光源装置が、提案されている。斯かる光源装置においては、広い範囲の波長を使用することで、スペックルノイズを低減することができる一方、視感度の低い波長を使用することになるため、明るさを確保できないという問題がある。
【先行技術文献】
【特許文献】
【０００４】
【特許文献１】特開２００４−１４６７９３号公報
【発明の概要】
【発明が解決しようとする課題】
【０００５】
よって、本発明は、斯かる事情に鑑み、出射光を明るくすることを図ることができつつ、スペックルノイズの発生を抑制することができる光源装置及び画像投影装置を提供することを課題とする。
【課題を解決するための手段】
【０００６】
光源装置は、レーザ光を出射する複数の光源部と、前記複数の光源部から出射されるレーザ光が入射され、当該光を導光体の入射面に向けて出射する光学系と、を備え、前記複数の光源部は、レーザ光の光軸の前記入射面に対する入射角の大きさごとに複数の光源群に区分され、前記光源部及び前記光学系は、前記光源群のレーザ光の前記入射角が小さいほど、当該光源群を構成する複数の前記光源部の中心波長のうち、最大の中心波長と最小の中心波長との差が小さくなるように、構成される。
【０００７】
また、光源装置は、レーザ光を出射する複数の光源部と、前記複数の光源部から出射されるレーザ光が入射される入射面を有する導光体と、を備え、前記複数の光源部は、レーザ光の光軸の前記入射面に対する入射角の大きさごとに、複数の光源群に区分され、前記光源群のレーザ光の前記入射角が小さいほど、当該光源群を構成する複数の前記光源部の中心波長のうち、最大の中心波長と最小の中心波長との差が小さい。
【０００８】
また、光源装置においては、前記光源群のレーザ光の前記入射角が小さいほど、前記光源群を構成する複数の前記光源部の中心波長の平均値における視感度が大きい、という構成でもよい。
【０００９】
また、画像投影装置は、上記の光源装置を少なくとも一つ備え、前記光源装置から出射される光を投射光として用いる。
【発明の効果】
【００１０】
以上の如く、本発明に係る光源装置及び画像投影装置は、出射光を明るくすることを図ることができつつ、スペックルノイズの発生を抑制することができる、という優れた効果を奏する。
【図面の簡単な説明】
【００１１】
【図１】一実施形態に係る画像投影装置の全体概略図である。
【図２】同実施形態に係る光源装置の概略構成図である。
【図３】同実施形態に係る光学系に入射される光の入射パターンを説明する図である。
【図４】同実施形態に係る導光体の入射面における光の入射角を説明する図である。
【図５】同実施形態に係る各光源の波長と光強度との関係を示す図である
【図６】スペックルコントラスト相対比の測定方法を説明する図である。
【図７】光源群における中心波長差とスペックルコントラスト相対比との関係を示す図である。
【図８】光源群における中心波長差とスペックルコントラスト相対比との関係を示す図である。
【発明を実施するための形態】
【００１２】
以下、光源装置及び画像投影装置における一実施形態について、図１〜図５を参酌して説明する。なお、各図において、図面の寸法比と実際の寸法比とは、必ずしも一致していない。
【００１３】
図１に示すように、本実施形態に係る光源装置２は、画像投影装置（例えば、プロジェクタ）１に用いられている。画像投影装置１は、それぞれ異なる色の光を出射する複数（本実施形態においては３つ）の光源装置２（２Ｒ，２Ｇ，２Ｂ）と、光源装置２からの光で光画像を生成し、スクリーン１００に投影する画像投影部１０とを備えている。
【００１４】
光源装置２は、第１の色（例えば、赤色）の光を出射する第１の光源装置２Ｒと、第２の色（例えば、緑色）の光を出射する第２の光源装置２Ｇと、第３の色（例えば、青色）の光を出射する第３の光源装置２Ｂとを備えている。本実施形態においては、複数の光源装置２は、第１〜第３の色の光を分離した状態で画像投影部１０に向けて出射している。
【００１５】
また、本実施形態においては、第１の光源装置２Ｒは、赤色光を出射すべく、５９０〜６９３ｎｍ（特に、６１５ｎｍ〜６６５ｎｍ）の波長の光を出射している。第２の光源装置２Ｇは、緑色光を出射すべく、４９８〜５８０ｎｍ（特に、５２０ｎｍ〜５５５ｎｍ）の波長の光を出射している。第３の光源装置２Ｂは、青色光を出射すべく、４１０〜４９６ｎｍ（特に、４４５ｎｍ〜４７５ｎｍ）の波長の光を出射している。
【００１６】
画像投影部１０は、各光源装置２から出射された光が入射されて光画像を生成する画像光学系１１と、画像光学系１１から出射された光画像を入射してスクリーン１００に投影する投影光学系（例えば、投影レンズ）１２とを備えている。また、画像投影部１０は、各光学系１１，１２を収容する画像投影本体部１３を備えている。
【００１７】
画像光学系１１は、光源装置２から出射された光のうち所定の偏光成分のみを透過する偏光ビームスプリッタ１１ａと、偏光ビームスプリッタ１１ａから出射された光を変調することで光画像にする空間変調素子１１ｂとを備えている。また、画像光学系１１は、各空間変調素子１１ｂで透過された光を合成するダイクロイックプリズム１１ｃを備えている。
【００１８】
画像光学系１１は、第１及び第３の光源装置２Ｒ，２Ｂから出射されたレーザ光を反射する反射ミラー１１ｄと、光源装置２から出射された光が入射され、該光を偏光ビームスプリッタ１１ａに向けて出射するロッドインテグレータ１１ｅとを備えている。本実施形態においては、各空間変調素子１１ｂは、透過型液晶素子としている。なお、画像光学系１１は、反射型液晶素子又はデジタルマイクロミラーデバイスである空間変調素子１１ｂを備える、という構成でもよい。
【００１９】
光源装置２は、レーザ光を出射する複数の光源部３と、複数の光源部３から出射された光が入射される光学系４と、複数の光源部３及び光学系４を収容する本体部５とを備えている。また、光源装置２は、光学系４から出射された光が入射される導光体６を備えている。なお、本体部５は、導光体６の一端部と接続される接続部５１を備えていると共に、画像投影本体部１３は、導光体６の他端部と接続される接続部１３ａを備えている。
【００２０】
光源部３は、図２に示すようにレーザ光を出射する発光素子３ａと、発光素子３ａから出射されるレーザ光を略平行光にするコリメートレンズ３ｂとを備えている。そして、複数の光源部３は、出射する光の光軸Ａ３が少なくとも光学系４に入射される際に互いに平行となるように、配置されている。また、複数の光源部３は、出射する光の光軸Ａ３が光学系４の光学入射面４１で異なる位置となるように、配置されている。
【００２１】
本実施形態においては、発光素子３ａは、レーザ光を出射する半導体レーザとしている。なお、該半導体レーザは、１つのエミッタを有するＣＡＮタイプでもよく、複数のエミッタを有するアレイタイプでもよい。
【００２２】
導光体６は、光学系４から出射された光が入射される平面状の入射面６１と、画像投影部１０に向けて光を出射する平面状の出射面６２とを備えている。また、導光体６の一端部が本体部５の接続部５１に固定されることにより、導光体６の入射面６１は、複数の光源部３及び光学系４に対して所定の位置に位置決めされる。
【００２３】
導光体６は、その側面で光を全反射することにより、入射面６１で入射された光の進行する角度を保持しつつ、長手方向に沿って光を伝搬するように構成されている。本実施形態においては、導光体６は、芯となるコアと、コアの外側に配置され、コアよりも低い屈折率であるクラッドと、クラッドを覆う被覆とからなる光ファイバとしている。なお、導光体６は、光ファイバに限られず、例えば、ロッドインテグレータ等でもよい。
【００２４】
光学系４は、複数の光源部３から出射された光を導光体６の入射面６１の中心に向けて集束させる集束レンズとしている。そして、複数の光源部３から出射される光は、光学系４を経由して、導光体６の入射面６１に入射されている。具体的には、光学系４は、各光源部３から出射された光の光軸を導光体６の入射面６１の中心に向くように変えている。
【００２５】
ところで、図２〜図４に示すように、複数の光源部３は、複数の光源群７に区分されている。本実施形態においては、複数の光源部３は、二つの群、即ち、第１光源群７１と第２光源群７２とに区分けされている。そして、各光源群７１，７２は、光源部３が同数（１２個）となるように、区分けされている。
【００２６】
第１光源群７１は、光学系４の光学入射面４１における外側の位置に向けてレーザ光Ｌ３１を出射する複数（１２個）の第１光源部３１を備えている。また、第２光源群７２は、第１光源部３１よりも、光学系４の光学入射面４１における内側の位置に向けてレーザ光Ｌ３２を出射する複数（８個）の第２光源部３２と、第２光源部３２よりも、光学系４の光学入射面４１における内側の位置に向けてレーザ光Ｌ３３を出射する複数（４個）の第３光源部３３とを備えている。
【００２７】
本実施形態においては、光学系４により、光源部３１〜３３からのレーザ光Ｌ３１〜Ｌ３３が導光体６の入射面６１の中心に向けて集束している。これにより、光学系４の光学入射面４１に対する各レーザ光Ｌ３１〜Ｌ３３の入射位置が、当該光学入射面４１の中心から離れるほど、導光体６の入射面６１に対する当該レーザ光Ｌ３１〜Ｌ３３の光軸Ａ３１〜Ａ３３の入射角θ３１〜θ３３は、大きくなる。
【００２８】
なお、図３は、光学系４の光学入射面４１に対する、各レーザ光Ｌ３１〜Ｌ３３の入射位置を示している。図３において、破線は、光学入射面４１の中心から同じ距離の位置を示しており、一点鎖線は、第１光源群７１と第２光源群７２との区分け境界線を示している。
【００２９】
したがって、第１光源部３１が出射するレーザ光Ｌ３１の光軸Ａ３１が導光体６の入射面６１に入射する第１入射角θ３１は、第２光源部３２が出射するレーザ光Ｌ３２の光軸Ａ３２が導光体６の入射面６１に入射する第２入射角θ３２よりも、大きい。また、第２入射角θ３２は、第３光源部３３のレーザ光Ｌ３３の光軸Ａ３３が導光体６の入射面６１に入射する第３入射角θ３３よりも、大きい。
【００３０】
これにより、第１光源群７１におけるレーザ光Ｌ３１の第１入射角θ３１は、第２光源群７２におけるレーザ光Ｌ３２，Ｌ３３の第２及び第３入射角θ３２，θ３３よりも、大きい。したがって、複数の光源部３は、レーザ光Ｌ３１〜Ｌ３３の光軸Ａ３１〜Ａ３３が導光体６の入射面６１に入射する入射角θ３１〜θ３３の大きさごとに、複数の光源群７１，７２に区分されている。
【００３１】
なお、レーザ光Ｌ３１〜Ｌ３３の光軸Ａ３１〜Ａ３３が導光体６の入射面６１に入射する入射角θ３１〜θ３３が大きいほど、当該レーザ光Ｌ３１〜Ｌ３３のスクリーン入射光の角度拡がりθ１２は、大きくなっている。具体的には、レーザ光Ｌ３１〜Ｌ３３の光軸Ａ３１〜Ａ３３が導光体６の入射面６１に入射する入射角θ３１〜θ３３は、当該レーザ光Ｌ３１〜Ｌ３３のスクリーン入射光の角度拡がりθ１２と比例している。
【００３２】
図５は、第２の光源装置２Ｇにおける波長に対する光強度のスペクトル分布を示している。破線Ｓ７１は、第１光源群７１の各光源部３（発光素子３ａ）のスペクトル分布を示しており、実線Ｓ７２は、第２光源群７２の各光源部３（発光素子３ａ）のスペクトル分布を示している。本実施形態においては、各光源部３（発光素子３ａ）は、スペクトル分布が略同じ形状（例えば、最大光強度が同じで且つスペクトル半値全幅が同じ）となるように、構成されている。
【００３３】
第２光源群７２を構成する複数の光源部３の中心波長のうち、最大の中心波長λ７２ｂと最小の中心波長λ７２ａとの差Δλ７２は、第１光源群７１を構成する複数の光源部３の中心波長のうち、最大の中心波長λ７１ｂと最小の中心波長λ７１ａとの差Δλ７１よりも、小さくなっている。即ち、光源群７のレーザ光Ｌ３１〜Ｌ３３の導光体６への入射角が小さいほど、当該光源群７を構成する複数の光源部３の中心波長のうち、最大の中心波長と最小の中心波長との差が小さくなっている。
【００３４】
本実施形態においては、各光源部３の中心波長は、スペクトル分布において、スペクトル半値全幅（相対光強度がピーク値の５０％になる波長幅）の中心となる波長としている。なお、各光源部３の中心波長は、スペクトル分布において、ピーク波長（相対光強度がピーク値となる波長）としてもよい。
【００３５】
第１光源群７１においては、最小の中心波長λ７１ａは、５２０ｎｍであり、最大の中心波長λ７１ｂは、５５０ｎｍであり、最大の中心波長λ７１ｂと最小の中心波長λ７１ａとの差Δλ７１は、３０ｎｍである。また、第１光源群７１においては、各光源部３の中心波長は、全て異なっており、２．７３ｎｍ間隔となるように設定されている。
【００３６】
第２光源群７２においては、最小の中心波長λ７２ａは、５３４ｎｍであり、最大の中心波長λ７２ｂは、５５０．５ｎｍであり、最大の中心波長λ７２ｂと最小の中心波長λ７２ａとの差Δλ７２は、１６．５ｎｍである。また、第２光源群７２においては、各光源部３の中心波長は、全て異なっており、１．５ｎｍ間隔となるように設定されている。
【００３７】
第２光源群７２を構成する複数の光源部３の中心波長のうち、最大の中心波長λ７２ｂと最小の中心波長λ７２ａとの差Δλ７２は、第１光源群７１を構成する複数の光源部３の中心波長のうち、最大の中心波長λ７１ｂと最小の中心波長λ７１ａとの差Δλ７１よりも、小さくなっている。
【００３８】
第１光源群７１を構成する複数の光源部３の中心波長の平均値λ７１ｃは、５３５ｎｍであり、第２光源群７２を構成する複数の光源部３の中心波長の平均値λ７２ｃは、５４２．２５ｎｍである。したがって、第２光源群７２の当該平均値λ７２ｃは、第１光源群７１の当該平均値λ７１ｃよりも、大きい視感度である。
【００３９】
即ち、光源群７のレーザ光の導光体６への入射角が小さいほど、光源群７を構成する複数の光源部３の中心波長の平均値における視感度が大きくなっている。なお、視感度は、波長が５５５ｎｍのときに最大であり、波長が５５５ｎｍから離れるにつれて小さくなる。したがって、光源群７のレーザ光の入射角が小さいほど、光源群７を構成する複数の光源部３の中心波長の平均値が５５５ｎｍに近くなっている。
【００４０】
なお、図示しないが、第１及び第３の光源装置２Ｒ，２Ｂも、第２の光源装置２Ｇと同様の構成となっている。即ち、光源群７のレーザ光の導光体６への入射角が小さいほど、当該光源群７を構成する複数の光源部３の中心波長のうち、最大の中心波長と最小の中心波長との差が小さくなっている。また、光源群７のレーザ光の導光体６への入射角が小さいほど、光源群７を構成する複数の光源部３の中心波長の平均値における視感度が大きくなっている。
【００４１】
本実施形態に係る画像投影装置１及び光源装置２の構成については以上の通りであり、次に、本実施形態に係る画像投影装置１及び光源装置２の作用について、図６〜図８を参酌して検証する。
【００４２】
図６に示すように、検証装置２００は、本実施形態に係る画像投影装置１の作用を検証するために、当該画像投影装置１の構成を簡素化した装置である。検証装置２００は、二つの光源部３，３と、光学系４と、導光体６と、ロッドインテグレータ１１ｅと、投影光学系１２とを備えている。また、検証装置２００は、振動拡散板２０１と、アパーチュア２０２と、ＣＣＤカメラ２０３とを備えている。各光源部３の発光素子３ａは、同じ波長のレーザ光を出射する２４つのエミッタを有するアレイタイプの半導体レーザとしている。
【００４３】
そして、検証装置２００を用いて、ゲインが１を超えるスクリーン１００に照射されたレーザ光をＣＣＤカメラ２０３で撮像し、該撮像した画像からスペックルコントラストを算出した。該スペックルコントラストは、画像の各ピクセルにおけるＣＣＤカウントの平均値に対する標準偏差の比とした。
【００４４】
ところで、スペックルコントラストは、光源部３の数量が多くなればなるほど、低減する。そこで、検証装置２００は、二つの光源部３，３しか有していないため、振動拡散板２０１を備えることにより、光源数に起因するスペックルコントラストの低減の影響を無くしている。なお、振動拡散板２０１は、時間的に光の位相を変化させるため、時間平均すると実質的に光源数を増加させるような効果を有する。
【００４５】
そして、スクリーン入射光の角度拡がりθ１２と、二つの光源部３，３の中心波長の差との二つ要素を変化させて、それぞれのスペックルコントラスト相対比を算出した。該スペックルコントラスト相対比は、それぞれ一つの光源部３だけ出射した場合のスペックルコントラストの平均値に対する、二つの光源部３，３を同時に出射した場合におけるスペックルコントラストの比である。
【００４６】
即ち、当該相対比が１００％である場合には、出射する光源部３が一つの場合も二つの場合も、スペックルコントラストが変化しないことを示し、当該相対比が１００％より小さい場合には、二つの光源部３，３が出射することで、一つの光源部３が出射するよりも、スペックスコントラストが低減することを示している。そして、当該相対比が小さいほど、相対的なスペックルコントラストの低減が大きいことを示している。
【００４７】
また、スクリーン入射光の角度拡がりθ１２を変化させる第１の手法として、アパーチュア２０２の有効口径を変化させた。これにより、レーザ光の導光体６への入射角が変化するため、スクリーン入射光の角度拡がりθ１２が変化する。そして、図７は、第１の手法における、中心波長差とスペックルコントラスト相対比との関係を示している。
【００４８】
また、スクリーン入射光の角度拡がりθ１２を変化させる第２の手法として、投影光学系１２の一対のレンズ１２ａ，１２ｂのうち、上流側のレンズ１２ａを、焦点距離の異なるレンズに変化させ、焦点距離に応じてその位置も変化させた。これにより、スクリーン入射光の角度拡がりθ１２が変化する。そして、図８は、第２の手法における、中心波長差とスペックルコントラスト相対比との関係を示している。
【００４９】
図７及び図８に示すように、当然、中心波長差が大きいほど、スペックルコントラスト相対比が小さくなっている。これにより、中心波長差を小さくすれば、スペックコントラストが大きくなる。しかしながら、スクリーン１００に向けて出射される光を明るくするためには、視感度の大きい波長を多く採用したいため、中心波長差を小さくする必要がある。
【００５０】
そこで、図７及び図８に示すように、スクリーン入射光の角度拡がりθ１２を変化させる手法に関係なく、スクリーン入射光の角度拡がりθ１２が小さいほど、スペックルコントラスト相対比が小さくなっている。これにより、中心波長差を小さくすることによるスペックルノイズの発生は、スクリーン入射光の角度拡がりθ１２が小さい光ほど、抑えることができることが分かる。
【００５１】
したがって、上記実施形態に係る画像投影装置１の光源群７においては、導光体６への入射角が小さい第２光源群７２のレーザ光の中心波長差を小さくする方が、導光体６への入射角が大きい第１光源群７１のレーザ光の中心波長差を小さくするよりも、スペックルノイズの発生を抑制することができる。そして、第２光源群７２のレーザ光の中心波長差を小さくして視感度の高い波長を多く採用することで、スクリーン１００に向けて出射される光を明るくすることもできる。
【００５２】
以上より、本実施形態に係る画像投影装置１は、光源装置２を少なくとも一つ（具体的には、三つ）備え、前記光源装置２から出射される光を投射光として用いる。
【００５３】
そして、本実施形態に係る光源装置２は、レーザ光Ｌ３１〜Ｌ３３を出射する複数の光源部３と、前記複数の光源部３から出射されるレーザ光Ｌ３１〜Ｌ３３が入射され、当該光Ｌ３１〜Ｌ３３を導光体６の入射面６１に向けて出射する光学系４と、を備え、前記複数の光源部３は、レーザ光Ｌ３１〜Ｌ３３の光軸Ａ３１〜Ａ３３の前記入射面６１に対する入射角θ３１〜θ３３の大きさごとに複数の光源群７に区分され、前記光源部３及び前記光学系４は、前記光源群７のレーザ光Ｌ３１〜Ｌ３３の前記入射角θ３１〜θ３３が小さいほど、当該光源群７を構成する複数の前記光源部３の中心波長のうち、最大の中心波長λ７１ｂ，λ７２ｂと最小の中心波長λ７１ａ，λ７２ａとの差Δλ７１，Δλ７２が小さくなるように、構成される。
【００５４】
また、本実施形態に係る光源装置２は、レーザ光Ｌ３１〜Ｌ３３を出射する複数の光源部３と、前記複数の光源部３から出射されるレーザ光Ｌ３１〜Ｌ３３が入射される入射面６１を有する導光体６と、を備え、前記複数の光源部３は、レーザ光Ｌ３１〜Ｌ３３の光軸Ａ３１〜Ａ３３の前記入射面６１に対する入射角θ３１〜θ３３の大きさごとに、複数の光源群７に区分され、前記光源群７のレーザ光Ｌ３１〜Ｌ３３の前記入射角θ３１〜θ３３が小さいほど、当該光源群７を構成する複数の前記光源部３の中心波長のうち、最大の中心波長λ７１ｂ，λ７２ｂと最小の中心波長λ７１ａ，λ７２ａとの差Δλ７１，Δλ７２が小さい。
【００５５】
斯かる構成によれば、光源群７のレーザ光Ｌ３１〜Ｌ３３の、導光体６の入射面６１に対する入射角θ３１〜θ３３が小さいほど、当該光源群７を構成する複数の光源部３の中心波長のうち、最大の中心波長λ７１ｂ，λ７２ｂと最小の中心波長λ７１ａ，λ７２ａとの差Δλ７１，Δλ７２が小さくなっている。これにより、導光体６の入射面６１に対する入射角θ３１〜θ３３が小さい光源群７２により、出射光を明るくすることを図ることができる。
【００５６】
ところで、導光体６の入射面６１に対する入射角θ３１〜θ３３と比例するスクリーン入射光の角度拡がりθ１２が小さいほど、スペックルノイズを相対的に抑制することができる。これにより、導光体６の入射面６１に対する入射角θ３１〜θ３３が小さい光源群７の、中心波長差を小さくしているため、スペックルノイズの発生を抑制することができる。
【００５７】
また、本実施形態に係る光源装置２においては、前記光源群７のレーザ光Ｌ３１〜Ｌ３３の前記入射角θ３１〜θ３３が小さいほど、前記光源群７を構成する複数の前記光源部３の中心波長の平均値λ７１ｃ，λ７２ｃにおける視感度が大きい、という構成である。
【００５８】
斯かる構成によれば、光源群７のレーザ光Ｌ３１〜Ｌ３３の、導光体６の入射面６１への入射角θ３１〜θ３３が小さいほど、光源群７を構成する複数の光源部３の中心波長の平均値λ７１ｃ，λ７２ｃが、大きくなっている（即ち、最大の視感度である５５５ｎｍに近くなっている）。これにより、導光体６の入射面６１に対する入射角θ３１〜θ３３が小さい光源群７２により、出射光を効果的に明るくすることを図ることができる。
【００５９】
なお、光源装置及び画像投影装置は、上記した実施形態の構成に限定されるものではなく、また、上記した作用効果に限定されるものではない。また、光源装置及び画像投影装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００６０】
上記実施形態に係る光源装置２においては、光源群７のレーザ光Ｌ３１〜Ｌ３３の入射角θ３１〜θ３３が小さいほど、光源群７を構成する複数の光源部３の中心波長の平均値λ７１ｃ，λ７２ｃにおける視感度が大きい、という構成である。しかしながら、本発明に係る光源装置は、斯かる構成に限られない。例えば、本発明に係る光源装置においては、光源群７のレーザ光Ｌ３１〜Ｌ３３の入射角θ３１〜θ３３が小さいほど、光源群７を構成する複数の光源部３の中心波長の平均値λ７１ｃ，λ７２ｃにおける視感度が小さい、という構成でもよい。
【００６１】
また、上記実施形態に係る光源装置２においては、複数の光源群７１，７２は、光源部３が同数となるように、即ち、光源部３（レーザ光Ｌ３１〜Ｌ３３）の数に基づいて、複数の光源部３を入射角θ３１〜θ３３の大きさごとに区分けされている、という構成である。しかしながら、本発明に係る光源装置は、斯かる構成に限られない。
【００６２】
例えば、本発明に係る光源装置においては、複数の光源群７は、等間隔に区分された角度又は立体角に基づいて、複数の光源部３を入射角θ３１〜θ３３の大きさごとに区分けされている、という構成でもよい。要するに、本発明に係る光源装置においては、複数の光源群７は、複数の光源部３を入射角θ３１〜θ３３の大きさごとに区分けされている、という構成であればよい。
【００６３】
また、上記実施形態に係る光源装置２においては、光源群７１，７２は、二つに区分されている、という構成である。しかしながら、本発明に係る光源装置は、斯かる構成に限られない。例えば、本発明に係る光源装置においては、光源群７は、三つ以上に区分されている、という構成でもよい。
【００６４】
また、上記実施形態に係る光源装置２においては、光源部３は、コリメートレンズ３ｂを備えている、という構成である。しかしながら、本発明に係る光源装置は、斯かる構成に限られない。例えば、本発明に係る光源装置においては、光源部３は、コリメートレンズ３ｂを備えておらず、外部共振器型半導体レーザである、という構成でもよい。
【００６５】
また、上記実施形態に係る光源装置２は、光学系４を備えている、という構成である。しかしながら、本発明に係る光源装置は、斯かる構成に限られない。例えば、本発明に係る光源装置は、光学系４を備えておらず、光源部３から出射されたレーザ光が導光体６の入射面６１に直接入射される、という構成でもよい。
【００６６】
また、上記実施形態に係る画像投影装置１は、光源装置２Ｒ，２Ｇ，２Ｂを三つ備える、という構成である。しかしながら、本発明に係る画像投影装置は、斯かる構成に限られない。例えば、本発明に係る画像投影装置は、光源装置２を一つ備える構成でもよく、光源装置２を二つ備える構成でもよく、さらに、光源装置２を四つ以上備える構成でもよい。
【００６７】
また、上記実施形態に係る光源装置２は、複数備えられ、第１〜第３の色の光を分離した状態で画像投影部１０に向けて出射している、という構成である。しかしながら、光源装置は、斯かる構成に限られない。例えば、光源装置は、第１〜第３の色の光を合成した状態で画像投影部１０に向けて出射する、という構成でもよい。
【００６８】
また、上記実施形態に係る光源装置２においては、導光体６は、本体部５に着脱可能に構成されている、という構成である。しかしながら、光源装置は、斯かる構成に限られない。例えば、光源装置においては、導光体６は、本体部５に着脱できないように固定される、例えば、本体部５と一体的に構成されている、という構成でもよい。
【００６９】
また、上記実施形態に係る光源装置２においては、光源群７における各光源部３の中心波長は、全て異なっており、等間隔となるように設定されている、という構成である。しかしながら、光源装置は、斯かる構成に限られない。例えば、光源装置においては、光源群７における少なくとも二つの光源部３の中心波長が同じ、という構成でもよく、また、光源群７における各光源部３の中心波長が等間隔でないように設定されている、という構成でもよい。
【符号の説明】
【００７０】
１…画像投影装置、２…光源装置、２Ｒ…第１の光源装置、２Ｇ…第２の光源装置、２Ｂ…第３の光源装置、３…光源部、３ａ…発光素子、３ｂ…コリメートレンズ、４…光学系、５…本体部、６…導光体、７…光源群、１０…画像投影部、１１…画像光学系、１１ａ…偏光ビームスプリッタ、１１ｂ…空間変調素子、１１ｃ…ダイクロイックプリズム、１１ｄ…反射ミラー、１１ｅ…ロッドインテグレータ、１２…投影光学系、１３…画像投影本体部、１３ａ…接続部、３１…第１光源部、３２…第２光源部、３３…第３光源部、４１…光学入射面、５１…接続部、６１…入射面、６２…出射面、７１…第１光源群、７２…第２光源群、１００…スクリーン、２００…検証装置、２０１…振動拡散板、２０２…アパーチュア、２０３…ＣＣＤカメラ
【図１】
2016118680.tif 000003
【図２】
2016118680.tif 000004
【図３】
2016118680.tif 000005
【図４】
2016118680.tif 000006
【図５】
2016118680.tif 000007
【図６】
2016118680.tif 000008
【図７】
2016118680.tif 000009
【図８】
2016118680.tif 000010